(57)【特許請求の範囲】
【請求項１】
遊技球を受け入れる入賞口と、
その入賞口において開閉可能に取り付けられ、前記入賞口を塞ぐ閉塞位置と、その閉塞位置から前記入賞口を開く開放位置との間で開閉駆動されるとともに、役物本体が取り付けられる遊技盤の盤面に沿った前記開放位置と前記閉塞位置が設定される閉塞部材と、
駆動出力部を有し、その駆動出力部を、前記閉塞部材を前記閉塞位置に位置させるための第一変位状態と、同じく前記開放位置に位置させるための第二変位状態との間で駆動変位させる駆動アクチュエータと、
前記駆動出力部の変位を、前記閉塞部材の回転変位に変換しつつ該閉塞部材に伝達するとともに、前記閉塞位置にある閉塞部材に対し前記開放位置へ変位させようとする強制操作力が加えられた場合に、前記駆動出力部が前記第一変位状態にある場合には閉塞部材の開放位置への移動を阻止し、同じく前記第二変位状態にある場合には閉塞部材の開放位置への移動を許容する強制開放保護機能を有する伝達機構と、を備え、
その伝達機構は、
前記駆動出力部の動作と連動して変位動作するとともに、前記遊技盤の盤面と直交する所定の回動軸線周りに回動可能に設けられ、その回動軸線から回動半径方向において一定距離隔たった位置に第一側作用部が形成される第一回動部材と、
前記駆動出力部の動作と連動して変位動作するとともに、前記遊技盤の盤面と交差する向きに配置され、前記閉塞部材と直接又は他部材を介して連結された回動伝達軸が、その閉塞部材の開閉に対応した形で回動可能に設けられ、その回動伝達軸から回動半径方向において一定距離隔たった位置に第二側作用部が形成される第二回動部材とを有し、
該第二回動部材は、閉塞位置にある前記閉塞部材を開放位置に向けて強制変位させる動作と連動させて所定の方向に変位動作するように構成し、
前記第一回動部材は、前記駆動出力部の変位状態が前記第一変位状態と第二変位状態との間で遷移するに伴い、前記第一側作用部が前記第二回動部材の回動を阻止するよう前記第二側作用部と干渉する干渉位置と、前記第二回動部材の回動を許容するように前記第二側作用部の変位経路より退避する退避位置との間で動くように構成し、
さらに、前記伝達機構は、前記駆動アクチュエータによる前記駆動出力部の前記第一変位状態から第二変位状態への移行に伴って、前記第一回動部材及び第二回動部材の回動を生じさせるとともに、前記第二回動部材より先に前記第一回動部材の回動を開始させることにより前記第一側作用部を前記第二側作用部の変位経路より退避させた後、前記第二回動部材を回動させる中間伝達部材を有することを特徴とする弾球遊技機用役物。
【請求項２】
前記中間伝達部材は、前記閉塞部材の回転軸線と略平行な軸線周りに回動可能に支持されるとともに、前記第二側作用部において前記第二回動部材と当接して、自身の回転変位をその第二回動部材の回動変位に変換しつつ伝達し、
閉塞位置において前記中間伝達部材と第二側作用部との間には所定量の隙間が形成され、前記駆動出力部が前記第一変位状態から第二変位状態に移行するにつれて該隙間が縮小されるように前記中間伝達部材が変位し、その変位が所定量に達して当該隙間が解消された後、前記第二回動部材の回動が開始されるようになっており、
前記第二回動部材より先に前記第一回動部材の回動を開始させることにより前記第一側作用部を前記第二側作用部の変位経路より退避させた後、前記第二回動部材を回動させる請求項１に記載の弾球遊技機用役物。
【発明の詳細な説明】
【０００１】
【発明の属する分野】
本発明は弾球遊技機用役物に関する。
【０００２】
【従来の技術】
近年、パチンコ機に代表される弾球遊技機において、いわゆる羽根物と呼ばれる第二種遊技機では、例えば特定の入賞口に弾球が入賞した場合に羽根とも称される閉塞部材が開き、役物内部に弾球を導入可能となるようなゲーム形態が採られる。役物内部には、例えば特別入賞口が設けられ、その特別入賞口に弾球が入賞して一定条件が整えば、或いは特別入賞口に弾球が入賞すれば遊技者にとって有利な遊技状態が発生するような遊技機が広く知られている。このような弾球遊技機において、閉塞部材は一定の遊技条件が整った場合のみ開放可能とされるのが一般的である。
【０００３】
しかしながら、例えば、パチンコ機前面枠の隙間等から針金などを差し入れて閉塞部材を故意に開放するといった不正行為が発生しており、これにより、当たり状態が発生していないにもかかわらず賞球が不正に獲得されてしまう問題も生じている。
【０００４】
【発明が解決しようとする課題】
本発明の解決すべき課題は、閉塞部材を外部から強制的に開放位置に引き倒すことが困難でありひいては不正行為等を効果的に防止できる弾球遊技機用役物を提供することにある。
【０００５】
【課題を解決するための手段及び作用・効果】
上記のような課題を解決するために、本発明の弾球遊技機用役物は、
遊技球を受け入れる入賞口と、
その入賞口において開閉可能に取り付けられ、入賞口を塞ぐ閉塞位置と、その閉塞位置から入賞口を開く開放位置との間で開閉駆動されるとともに、役物本体が取り付けられる遊技盤の盤面に沿った開放位置と閉塞位置が設定される閉塞部材と、
駆動出力部を有し、その駆動出力部を、閉塞部材を閉塞位置に位置させるための第一変位状態と、同じく開放位置に位置させるための第二変位状態との間で駆動変位させる駆動アクチュエータと、
駆動出力部の変位を、閉塞部材の回転変位に変換しつつ該閉塞部材に伝達するとともに、閉塞位置にある閉塞部材に対し開放位置へ変位させようとする強制操作力が加えられた場合に、駆動出力部が第一変位状態にある場合には閉塞部材の開放位置への移動を阻止し、同じく第二変位状態にある場合には閉塞部材の開放位置への移動を許容する強制開放保護機能を有する伝達機構と、を備え、
その伝達機構は、
駆動出力部の動作と連動して変位動作するとともに、遊技盤の盤面と直交する所定の回動軸線周りに回動可能に設けられ、その回動軸線から回動半径方向において一定距離隔たった位置に第一側作用部が形成される第一回動部材と、
駆動出力部の動作と連動して変位動作するとともに、遊技盤の盤面と交差する向きに配置され、閉塞部材と直接又は他部材を介して連結された回動伝達軸が、その閉塞部材の開閉に対応した形で回動可能に設けられ、その回動伝達軸から回動半径方向において一定距離隔たった位置に第二側作用部が形成される第二回動部材とを有し、
該第二回動部材は、閉塞位置にある閉塞部材を開放位置に向けて強制変位させる動作と連動させて所定の方向に変位動作するように構成し、
第一回動部材は、駆動出力部の変位状態が第一変位状態と第二変位状態との間で遷移するに伴い、第一側作用部が第二回動部材の回動を阻止するよう第二側作用部と干渉する干渉位置と、第二回動部材の回動を許容するように第二側作用部の変位経路より退避する退避位置との間で動くように構成し、
さらに、前記伝達機構は、前記駆動アクチュエータによる前記駆動出力部の前記第一変位状態から第二変位状態への移行に伴って、前記第一回動部材及び第二回動部材の回動を生じさせるとともに、前記第二回動部材より先に前記第一回動部材の回動を開始させることにより前記第一側作用部を前記第二側作用部の変位経路より退避させた後、前記第二回動部材を回動させる中間伝達部材を有することを特徴とする。
【０００６】
上記構成によれば、遊技機の盤面に沿って閉塞部材が変位するような役物（例えば、いわゆる羽根物と呼ばれるような役物）を備える弾球遊技機において不正遊技が効果的に防止できる。即ち、駆動出力部が第一変位状態にある場合には閉塞部材の開放位置への移動を阻止し、同じく第二変位状態にある場合には閉塞部材の開放位置への移動を許容する強制開放保護機構を設けたため、閉塞位置にある閉塞部材を外部から強制的に開放位置に引き倒すことが困難であり、ひいては不正行為の防止に大いに寄与する。
【０００７】
なお、上記構成の伝達機構とすることによって、第一回動部材は、駆動出力部が第一変位状態にある場合には、強制操作力に基づく第二回動部材の変位を阻害する阻害位置に移動し、同じく第二変位状態にある場合には第二回動部材の変位を許容する許容位置に移動するように構成することができる。
【０００８】
そして、第一回動部材が干渉位置に移動した状態では、第二回動部材に形成された第二側作用部の変位経路上に、第一回動部材に形成された第一側作用部が位置することにより、第二側作用部と第一側作用部とが干渉して第二回動部材の変位動作が阻止される一方、第一回動部材が退避位置に移動した状態では、第二側作用部の変位経路から第一側作用部が退避することにより、第二側作用部と第一側作用部との干渉が回避され、第二回動部材の変位動作が許容される。
【００１０】
このように伝達機構において回動部材を設けた構成とすることで、各回動部材とそれを支持する回動支点により駆動力を伝達する機構と強制開放保護機構の要部が構成できる。たとえば、仮にこのような機構をスライド機構等によって構成した場合には、スライド機構等に特有な特別なガイド部材（例えば、ガイドレール等）が必要となり、部品数増加、装置構成の複雑化は避けられなくなる。上記構成によればこのような部材を設ける必要もなく、機構構成の簡略化を図ることができる。その結果、遊技機用役物の装置のコンパクト化、部品数減少、製造コスト削減等に寄与することとなる。
【００１１】
さらに、中間伝達部材は、閉塞部材の回転軸線と略平行な軸線周りに回動可能に支持されるとともに、第二側作用部において第二回動部材と当接して、自身の回転変位をその第二回動部材の回動変位に変換しつつ伝達し、
閉塞位置において中間伝達部材と第二側作用部との間には所定量の隙間が形成され、駆動出力部が第一変位状態から第二変位状態に移行するにつれて該隙間が縮小されるように中間伝達部材が変位し、その変位が所定量に達して当該隙間が解消された後、第二回動部材の回動が開始されるようになっており、
第二回動部材より先に第一回動部材の回動を開始させることにより第一側作用部を第二側作用部の変位経路より退避させた後、第二回動部材を回動させるようにできる。
【００１２】
このように、閉塞位置において中間伝達部材と第二側作用部との間には所定量の隙間を形成し、中間伝達部材の変位が所定量に達して当該隙間が解消された後、第二回動部材の回動が開始されるようにすることで、複雑な装置構成を採らずとも隙間の形成のみで第二回動部材の回動開始に遅れを生じさせるようにできる。その結果、第一側作用部の退避動作を第二側作用部の動作よりも先に行えることとなり、駆動出力部の変位が生じたときのみ第二側作用部が変位できる機構が達成できる。即ち、駆動出力部からの駆動によれば閉塞部材は開放位置に変位できることとなる。そして、上記構成によれば、このような機構を部品数を増加させることなく部品形状に特徴をもたせることのみにより行うことができ、極めて効果的で、かつ実施容易な機構となる。
【００１３】
【発明の実施の形態】
本発明の実施の形態を図面に示す実施例を参照しつつ説明する。
本発明の弾球遊技機用役物（以下、遊技機用役物又は役物ともいう）は、図２に示されるように、遊技球を受け入れる入賞口９と、その入賞口において開閉可能に取り付けられ、入賞口を塞ぐ閉塞位置と、その閉塞位置から入賞口を開く開放位置との間で開閉駆動されるとともに、役物本体が取り付けられる遊技盤６（図１参照）の盤面に沿った開放位置と閉塞位置が設定される閉塞部材を備えた構成となっている。なお、図２は閉塞部材１０の閉塞位置、図８は閉塞部材１０の開放位置に付いて示している。本実施例では、閉塞部材１０は遊技盤の盤面と交差する（例えば盤面に対し略直角に交差する）回動軸線を有して該軸線周りに回動可能に取り付けられ、自身の回動により遊技盤６の盤面方向に変位するように設けられる。即ち、側方に倒伏することにより開放位置となるように構成される。なお、回動による側方への倒伏に限らず、盤面方向へ変位する閉塞部材（例えば盤面方向にスライドする等）であれば盤面に沿った閉塞、開放の位置設定という概念に含まれるものとする。
【００１４】
なお、図１は本発明の適用対象となる弾球遊技機の一例を模式的に示しており、図１の例では弾球遊技機１（以下、単に遊技機１とも言う）において遊技機用役物２が遊技盤中央付近に設けられ、いわゆる第二種遊技機として構成されている。弾球遊技機１は遊技盤６上において遊技機用役物２とともに、例えば、閉塞部材１０の開放についてのスイッチング機能をもつ始動入賞口７，８や、その他の公知の役物、装飾部品等（風車、ランプ等）当業者が容易に推測し得るものであればいずれも備えることができる。そして、遊技者による発射ハンドル３の操作により遊技盤に向けて遊技球を発射でき、盤面上を流下する遊技球が様々な遊技態様を生み出すこととなる。
【００１５】
弾球遊技機用役物２の概要を説明すると以下の通りである。即ち、図３（ａ）の背面図及び（ｂ）の側面図にて示されるように、駆動出力部としての駆動軸２７を有する駆動アクチュエータとしてのソレノイド１９が遊技盤の盤面方向（本実施例では遊技盤上下方向）への駆動力を生じさせるように設けられる。そして、ソレノイド１９は直線的駆動力を生じさせるリニアアクチュエータとして機能する。駆動出力部としての駆動軸２７は閉塞部材１０を閉塞位置に位置させるための第一変位状態と、同じく開放位置に位置させるための第二変位状態（図９等参照）との間で駆動変位することとなる。なお、上記構成のように駆動アクチュエータをリニアアクチュエータとすることで２次元的スペース利用がなされ、スペースの有効利用につながる。また、リニアアクチュエータを遊技盤の盤面方向への駆動力を生じさせるように設けることで遊技盤の奥行き方向の必要スペースを狭くすることができ、効率的なアクチュエータの配置となる。
【００１６】
さらに、駆動出力部の変位、即ち駆動軸２７の変位を閉塞部材１０の回転変位に変換しつつその閉塞部材１０に伝達する伝達機構（後述）が備えられる。そして、閉塞位置にある閉塞部材１０に対し開放位置へ変位させようとする強制操作力が加えられた場合に、駆動出力部が第一変位状態にある場合には閉塞部材１０の開放位置への移動を阻止し、同じく第二変位状態にある場合には閉塞部材の開放位置への移動を許容する強制開放保護機構が備えられることとなる。これにより、例えば閉塞部材１０の不正な開放操作が防止されることとなり遊技機の防犯に大いに寄与することとなるが、この強制開放保護機構については以下において詳細に説明する。
【００１７】
図４及び図５には強制開放保護機構等を備えた伝達機構からなる開閉機構部５の要部についての斜視図を示し、図４は正面、図５は背面からを示している。
【００１８】
伝達機構は、駆動出力部の動作と連動して変位動作する第一伝達主体としての第一回動部材２３と、その駆動出力部の動作と連動して変位動作する第二伝達主体としての第二回動部材１４を備えた構成とされる。
【００１９】
そして、第一回動部材２３は遊技盤の盤面と直交する所定の回動軸線周りに回動可能に設けられるとともに、その回動軸線から回動半径方向において一定距離隔たった位置に第一側作用部２４（図５参照）が形成される。さらに、第二回動部材１４は、遊技盤６の盤面と交差する向きに配置されるとともに閉塞部材１０と直接又は他部材を介して連結された回動伝達軸１２が、閉塞部材１０の開閉に対応した形で回動可能に設けられ、その回動伝達軸１２から回動半径方向において一定距離隔たった位置に第二側作用部１６が形成される。なお、本実施例においては、閉塞部材１０と第二回動部材１４は回動伝達軸１２を介して固定され、これら部材は一体的に回動する。なお、回動伝達軸１２と第二回動部材１４は第二回動部材１４における固定端部１４ａにて一体的に固定され、第二回動部材１４が回動することにより、その回動方向に対し略垂直に形成される回動伝達軸１２が閉塞部材とともに回動することとなる。
【００２０】
この伝達機構の作用概要を述べると、第一伝達主体としての第一回動部材２３は、駆動出力部が第一変位状態にある場合、即ち図４、図５等に示されるように閉塞部材１０が閉塞位置にある場合には、強制操作力に基づく第二回動部材２３の変位を阻害する阻害位置をとる。そして、駆動出力部が第二変位状態にある場合、即ち図１０、図１１の斜視図等に示されるように閉塞部材が開放位置にある場合には、第一回動部材２３は第二回動部材１４の変位を許容する許容位置に移動する機構となる。
【００２１】
図６（ａ）ないし（ｃ）は閉塞位置から開放位置までの閉塞部材１０（図３等参照）を移行させる機構について順に説明している。以下、具体的伝達機構の作用について図６を参照して説明する。図６（ａ）に示されるように、閉塞部材１０の回転軸線と略平行な軸線周りに回動可能に支持されるとともに、第二側作用部１６，１６において第二回動部材１４，１４と当接することにより、自身の回転変位を第二回動部材１４，１４の回動変位に変換しつつ伝達する中間伝達部材２０，２０が備えられる。中間伝達部材２０，２０は、リニアアクチュエータとしてのソレノイド１９の駆動軸２７と連結するスライド部材３４からの直線的駆動力を回転力に変換する機構とされる。なお、本実施例においてソレノイド１９からの駆動力が遊技盤上下方向、（図６の例では図面上下方向）に発生するように、遊技盤上下方向に往復動する駆動軸２７を備えてソレノイド１９が配置される。なお、本実施例では図４、５等に示されるように、第一回動部材２３及び、第二回動部材１４はその回動方向を遊技盤の盤面方向としており、さらに中間伝達部材２０及びスライド部材３４の移動方向も遊技盤の盤面方向とされる。このように、各部材の移動方向がともに遊技盤の盤面方向となるように構成することで、遊技盤の奥行き方向の部材の移動がなく、スペースの有効利用が図られる。
【００２２】
周知のごとく、ソレノイド１９は、図示しないコイルの通電・励磁により駆動軸２７を駆動出力部としてこれを往復動させるものであり、その駆動出力部としての駆動軸２７には、該駆動出力部と一体的にスライドするスライド部材３４が設けられる。また、駆動軸２７の外側には、弾性部材として駆動軸２７をソレノイド１９から抜き出す方向に付勢するとともに、例えば駆動軸２７と同軸的に備えられるコイルバネ４０が備えられる。
【００２３】
コイルバネ４０の一端側には駆動軸２７に固定又は一体的に形成されてコイルバネ４０からの弾性力を駆動軸２７に伝達するストッパー２５が形成され、他端側はソレノイド１９における駆動軸２７の入出孔（図示略）の外周部に当接しており、図６（ａ）に示される閉塞位置においてはスライド部材３４の移動限度となる位置まで駆動軸２７を付勢して、第一変位状態を維持している。そして、例えば特定の遊技態様が生じて閉塞部材１０（図３）を開放する必要が生じた場合には、遊技機における制御部からの指令を受けてソレノイド１９が励磁され、駆動軸２７がコイルバネ４０の弾性力に抗してソレノイド１９の内部方向に移動して第二変位状態（図６（ｃ）の状態、即ち閉塞部材１０（図３）の開放状態）をとる。また、開放位置にある閉塞部材１０（図３）を閉塞する必要が生じた場合には、ソレノイド１９の励磁を解除することによりコイルバネ４０の弾性復帰力が生じ、第一変位状態に戻る。なお、遊技機からのソレノイドへの指令等については公知であるので詳細は省略する。
【００２４】
そして、中間伝達部材２０，２０は回動軸２１を中心として回動可能に構成されるとともに、その回動軸２１から回動半径方向に所定距離隔たった位置においてスライド部材側に突出する第一突出部３２，３２が形成され、その第一突出部３２，３２はスライド部材３４に形成された第一長孔３０，３０に挿入される。そして、駆動軸２７，２７の往復動、即ちスライド部材３４の往復動を受けて、第一突出部３２，３２が第一長孔３０，３０に対し相対的に往復動するように変換され、中間伝達部材２０，２０の回動力が生じることとなる。
【００２５】
さらに図６（ａ）に示されるように、中間伝達部材２０は、第一回動部材２３の回動を生じさせる第一回動作用部として形成される第二突出部３３が設けられる。この第二突出部３３は第一回動部材２３側に突出するとともにその第一回動部材２３において略長孔形状として形成される第二長孔３６内に挿入された構成をとる。第一回動部材２３は回動支点３８を中心として回動可能となっており、さらに本実施例では、閉塞状態において第一回動部材２３が第二突出部３３と第二長孔３６内にて当接するように、当該第一回動部材２３の自重によるモーメントが絶えず生じている。そして、駆動出力部が第一変位状態から第二変位状態に移行する際において、中間伝達部材２０は第一回動部材２３の自重によるモーメントに抗して作用し（即ち、第二突出部３３が第一回動部材２３を押し上げ）、中間伝達部材２０の回動開始と同時に第一回動部材２３の回動が開始される。
【００２６】
また、中間伝達部材２０の回動半径方向の端部近傍において、第二回動部材１４の回動を生じさせる第二回動作用部として形成される回動作用孔１８が形成され、その回動作用孔１８内に第二側作用部１６が挿入される。そして、図６（ａ）に示されるような閉塞位置において中間伝達部材と第二側作用部との間には所定量の隙間が形成されるような構成とされる。即ち、回動作用孔１８の孔面積は第二側作用部１６の断面面積よりも大きくなるように形成される。
【００２７】
そして、駆動出力部が第一変位状態から第二変位状態に移行するにつれ、即ち図６（ａ）から図６（ｂ）、図６（ｃ）へと移行するにつれ、該隙間が縮小されるように中間伝達部材２０が変位する。そして、図６（ｂ）に示されるようにその変位が所定量に達して当該隙間が解消された後、第二回動部材１４の回動が開始されて図６（ｃ）に示されるような開放状態へと移行する。（なお、図６（ｃ）の状態に対応する遊技機用役物２については図８及び図９に示し、その開閉機構の斜視図については図１０及び図１１に示している。）換言すれば、閉塞位置にある状態からの中間伝達部材２０の回動開始に遅れて第二回動部材１４の回動が開始される。このような構成を採れば、隙間の形成のみで第二回動部材１４の回動開始を遅らせることができる。即ち、特別な部品等を用いずとも形状に特徴をもたせることのみで効果を上げ、また、その形状に形成するために必要となる加工も極めて容易に行える。
【００２８】
そして、中間伝達部材２０は、駆動出力部が第一変位状態から第二変位状態に移行する際において、第二回動部材１４より先に第一回動部材２３の回動を開始させることにより第一側作用部２４を第二側作用部１６の変位経路より退避させることとなる。このように、複雑な装置構成を採らずとも各回動部材に時間差をもたせることのみで第二側作用部の変位経路から第一側作用部を退避させることができるため、実施容易な機構となる。特に、上記したように隙間の形成のみにより回動開始の時間差を生じさせることができるため、装置構成は簡素化が図れ、装置の軽量化、コンパクト化等にも寄与する。
【００２９】
次に、強制開放保護機構について述べる。
図６（ａ）ないし（ｃ）のように、閉塞位置にある閉塞部材１０（図３）を開放位置に向けて強制変位させるに伴い、第二伝達主体としての第二回動部材１４はこれと連動して所定の方向に変位動作する一方、第一伝達主体としての第一回動部材２３は、駆動出力部の変位状態が第一変位状態と第二変位状態との間で遷移するに伴い、干渉位置（図６（ａ））と退避位置（図６（ｃ））との間で動くようになっている。
【００３０】
そして、第一回動部材２３が干渉位置に移動した状態では、第二回動部材１４に形成された第二側作用部１６の変位経路上に、第一回動部材２３に形成された第一側作用部２４が位置することにより、第二側作用部１６と第一側作用部２４とが干渉して第二伝達主体の変位動作（本実施例では第二回動部材１４の回動動作）が阻止される。なお、図７は閉塞位置にある閉塞部材１０（図３）に強制操作力が生じ、第二側作用部１６と第一側作用部２４とが干渉している状態を示している。一方、図６（ｃ）のように、第一回動部材２３が退避位置に移動した状態では、第二側作用部１６の変位経路から第一側作用部２４が退避することにより、第二側作用部１６と第一側作用部２４との干渉が回避され、第二伝達主体の変位動作（本実施例では第二回動部材１４の回動動作）が許容されることとなる。
【００３１】
図７のように、閉塞位置にある閉塞部材１０が開放位置に向けて強制移動される場合には、第二側作用部１６は、阻害位置にある第一回動部材２３の回動半径方向に第一側作用部２４との当接力が生じるように構成される。換言すれば、第二側作用部１６の当接方向の延長上には第一回動部材２３の回動支点部３８が位置し、第二側作用部１６の作用によっては第一回動部材２３にトルクが生じないようになっている。さらに、本実施例においては、第一側作用部２４は第二側作用部１６と当接する位置において、その第二側作用部１６の当接方向に対し略垂直となる部分（例えば垂直面）を有する垂直当接部が形成される。なお、第一側作用部２４の形状は垂直に限らず、第二側作用部１６からの当接によって第一回動部材２３にその回動方向への分力を発生させない形状であればよい。例えば、第一回動部材２３の回動半径方向に窪んだ円弧状の凹部を形成することもできる。これにより、第二回動部材１４の回動による第二側作用部１６の当接力は、第一回動部材２３の回動半径方向のみに作用することとなる。これにより、閉塞部材１０（図３参照）に強制操作力が加えられた場合、第二側作用部１６の移動が第一側作用部２４によって阻害され、かつ第二側作用部１６の移動方向は第一回動部材２３の回動半径方向となっているため、第二側作用部１６による当接力は第一回動部材２３の回動力発生には寄与せず、閉塞部材１０に強制操作力が加えられてもロック効果が保たれることとなる。
【図面の簡単な説明】
【図１】本発明の弾球遊技機用役物を備えた遊技機の一例を示す説明図。
【図２】本発明の弾球遊技機用役物の一例示す正面図。
【図３】図２の内部機構を示す背面図及び側面図。
【図４】図２の要部となる開閉機構例を示す斜視図。
【図５】図４の斜視背面図。
【図６】開閉機構（伝達機構）を説明する説明図。
【図７】強制操作力の作用を説明する説明図。
【図８】閉塞部材が開放位置にある弾球遊技機用役物を示す正面図。
【図９】図８の内部機構を示す背面図及び側面図。
【図１０】図８の要部となる開閉機構例を示す説明図。
【図１１】図１０の斜視背面図。
【符号の説明】
１  弾球遊技機
２  遊技機用役物
５  開閉機構部（伝達機構、強制開放保護機構）
６  遊技盤
９  入賞口
１０  閉塞部材
１２  回動伝達軸
１４  第二回動部材（第二伝達主体）
１６  第二側作用部
１８  回動作用孔
１９  ソレノイド（駆動アクチュエータ）
２０  中間伝達部材
２３  第一回動部材（第一伝達主体）
２４  第一側作用部
２５  ストッパー
２７  駆動軸
３０  第一長孔
３２  第一突出部
３４  スライド部材
３６  第二長孔
４０  コイルバネ
【図１】
0003816722.tif 000002
【図２】
0003816722.tif 000003
【図３】
0003816722.tif 000004
【図４】
0003816722.tif 000005
【図５】
0003816722.tif 000006
【図６】
0003816722.tif 000007
【図７】
0003816722.tif 000008
【図８】
0003816722.tif 000009
【図９】
0003816722.tif 000010
【図１０】
0003816722.tif 000011
【図１１】
0003816722.tif 000012